(57)【特許請求の範囲】
【請求項１】
建物の外壁における出隅部の左右に取り付けられる外壁材同士の継目に取り付けられる出隅役物において、
外壁材の一端縁部をその上側から覆い隠す平板状の２つのカバー部と、このカバー部の対向する側端間を連結する連結部とを有し、
この連結部では、前記カバー部側に平板状の平坦部が設けられるとともに、この平坦部より内側において裏面側に一段凹んだ平板状の受け部が設けられ、この受け部の内側においてさらに裏面側に一段凹んだ溝状の固定具納め部が設けられ、
前記連結部の裏面側に平板状の留め付け部が一体的に設けられ、この留め付け部は、前記受け部と対向して配置され、
前記受け部は、竪樋を保持する控金具の平板状の固定部を受け入れ可能とし、
前記固定具納め部は、その内部に、出隅役物を建物の壁下地に固定する第１の固定具の頭部を納めることができ、
前記留め付け部は、前記控金具を固定する第２の固定具の留め付けを可能としている
ことを特徴とする出隅役物。
【請求項２】
建物の外壁における出隅部の左右に取り付けられる外壁材の一端縁部をその上側から覆い隠す平板状の２つのカバー部と、このカバー部の対向する側端間を連結する連結部とを有し、この連結部では、前記カバー部側に平板状の平坦部が設けられるとともに、この平坦部より内側において裏面側に一段凹んだ平板状の受け部が設けられ、この受け部の内側においてさらに裏面側に一段凹んだ溝状の固定具納め部が設けられ、前記連結部の裏面側に平板状の留め付け部が一体的に設けられ、この留め付け部は、前記受け部と対向して配置されている出隅役物が、建物の出隅部に取り付けられる左右の外壁材同士の継目に取り付けられる出隅構造であって、
出隅役物が、前記固定具納め部を貫通して壁下地の内部に到達する第１の固定具によって建物の外壁における出隅部に固定され、前記カバー部が、前記外壁材の一端縁部をその上側から覆い隠し、前記第１の固定具の頭部が前記固定具納め部内に納められ、
竪樋を保持する控金具の平板状の固定部が前記受け部に受け入れられ、前記出隅役物を出隅部に固定している前記第１の固定具が、前記控金具の固定部により隠蔽され、第２の固定具が前記留め付け部に到達して留め付けられ、前記控金具が、前記出隅役物に固定されて前記出隅部の角部に取り付けられている
ことを特徴とする出隅構造。
【発明の詳細な説明】
【技術分野】
【０００１】
本発明は、建物の外壁の出隅部に取り付けられる出隅役物と、この出隅役物による出隅構造に関する。
【背景技術】
【０００２】
戸建住宅などの建物の外壁における出隅部では、略直交する壁下地面上に左右に隣り合わせて取り付けられる外壁材の端縁部を覆い隠して美麗に納め、また、外壁材同士の間の継目から壁下地に向かって雨水などが浸入しないように、出隅役物が設けられている。
【０００３】
本出願人も、たとえば下記特許文献１に記載したように、様々な出隅役物とこの出隅役物による出隅構造を提案している。
【０００４】
特許文献１に記載したように、出隅役物である役物部材は、外壁材の継目に取り付けられる断面略Ｌ字状の形状を有する取付板と、この取付板に取り付けられる、同じく断面略Ｌ字状の形状を有する化粧カバーとの２部材から形成されるものが一般的である。取付板では、出隅部の角部に対応する位置に２つの係止片が設けられ、化粧カバーでは、その角部の背面に２つの被係止片が設けられている。取付板を壁下地上にねじ固定し、その係止片の内側に被係止片を挿入し、係止片に係止させることによって化粧カバーが取付板に取り付けられ、出隅役物は、出隅部に取り付けられる。
【０００５】
また、特許文献１に記載したように、出隅部の付近には、軒樋で受けた雨水などを排水口に向けて排水するための竪樋が取り付けられることが多い。そのために、特許文献１に記載した竪樋用控金具の施工構造では、控金具の竪樋保持部が一端側に設けられた板状の取付ベースの他端を固定部とし、この固定部を、出隅役物に備えた上記取付板にねじ固定するようにしている。上記固定部は、外壁材の端縁部を把持するように固定されるため、控金具の位置決めが容易であり、竪樋の取付けを容易に行うことが可能となる。
【先行技術文献】
【特許文献】
【０００６】
【特許文献１】特開２００１−６５１２８号公報
【発明の概要】
【発明が解決しようとする課題】
【０００７】
しかしながら、特許文献１に記載している出隅役物は、上記のとおり、係止片の内側に被係止片を挿入し、係止させて化粧カバーを取付板に取り付けるものであるので、一旦出隅部に施工すると、補修時などに化粧カバーを取り外すことが難しいという点が見出される。
【０００８】
また、控金具は、その竪樋保持部が取付ベースの一端側に設けられているので、取付ベースに沿ってスライド可能にしても、出隅部の角部に控金具を配置することはできないという点が見出される。一般に、控金具を出隅部の角部に取り付けるためには、釘やねじなどの固定具に、壁下地の内部に到達する程度の相当な長さを有するものが必要とされるが、この場合、固定具を曲げずに安定して留め付けることが難しくなる。
【０００９】
本発明は、以上のとおりの事情に鑑みてなされたものであり、補修時などに取り外しが可能であり、しかも、竪樋を取り付けるための控金具を出隅部の角部に取り付けることが可能である出隅役物と、この出隅役物による出隅構造を提供することを課題としている。
【課題を解決するための手段】
【００１０】
上記の課題を解決するために、本発明の出隅役物は、建物の外壁における出隅部の左右に取り付けられる外壁材同士の継目に取り付けられる出隅役物において、外壁材の一端縁部をその上側から覆い隠す平板状の２つのカバー部と、このカバー部の対向する側端間を連結する連結部とを有し、この連結部では、カバー部側に平板状の平坦部が設けられるとともに、この平坦部より内側において裏面側に一段凹んだ平板状の受け部が設けられ、この受け部の内側においてさらに裏面側に一段凹んだ溝状の固定具納め部が設けられ、連結部の裏面側に平板状の留め付け部が一体的に設けられ、この留め付け部は、受け部と対向して配置され、受け部は、竪樋を保持する控金具の平板状の固定部を受け入れ可能とし、固定具納め部は、その内部に、出隅役物を建物の壁下地に固定する第１の固定具の頭部を納めることができ、留め付け部は、控金具を固定する第２の固定具の留め付けを可能としていることを特徴としている。
【００１１】
本発明の出隅構造は、建物の外壁における出隅部の左右に取り付けられる外壁材の一端縁部をその上側から覆い隠す平板状の２つのカバー部と、このカバー部の対向する側端間を連結する連結部とを有し、この連結部では、カバー部側に平板状の平坦部が設けられるとともに、この平坦部より内側において裏面側に一段凹んだ平板状の受け部が設けられ、この受け部の内側においてさらに裏面側に一段凹んだ溝状の固定具納め部が設けられ、連結部の裏面側に平板状の留め付け部が一体的に設けられ、この留め付け部は、受け部と対向して配置されている出隅役物が、建物の出隅部に取り付けられる左右の外壁材同士の継目に取り付けられる出隅構造であって、出隅役物が、固定具納め部を貫通して壁下地の内部に到達する第１の固定具によって建物の外壁における出隅部に固定され、カバー部が、外壁材の一端縁部をその上側から覆い隠し、第１の固定具の頭部が固定具納め部内に納められ、竪樋を保持する控金具の平板状の固定部が受け部に受け入れられ、出隅役物を出隅部に固定している第１の固定具が、控金具の固定部により隠蔽され、第２の固定具が留め付け部に到達して留め付けられ、控金具が、出隅役物に固定されて出隅部の角部に取り付けられていることを特徴としている。
【発明の効果】
【００１２】
本発明の出隅役物と出隅構造によれば、補修時などに出隅役物の取り外しが可能となり、しかも、竪樋を取り付けるための控金具を出隅部の角部に取り付けることが可能となる。
【図面の簡単な説明】
【００１３】
【図１】本発明の出隅役物の一実施形態を控金具とともに示した要部斜視図である。
【図２】本発明の出隅構造の一実施形態として、図１に示した出隅役物による出隅構造を示した要部断面図である。
【発明を実施するための形態】
【００１４】
図１は、本発明の出隅役物の一実施形態を控金具とともに示した要部斜視図である。
出隅役物１は、金属または硬質樹脂から形成された一体物であり、長尺の部材であり、所望の長さに切断可能でもある。出隅役物１は、後述するように、戸建住宅などの建物の外壁における出隅部の左右に取り付けられる外壁材同士の継目に取り付けられる。
【００１５】
出隅役物１は、外壁材の一端縁部を上側から覆い隠す平板状のカバー部２を左右に２つ備えている。各カバー部２は、互いに異なる２平面上に配置され、たとえば、出隅部の角部の角度に応じて直角または鈍角もしくは鋭角に交わる２平面上に配置される。カバー部２の表面には、たとえば、外壁材の表面と同一または類似するなどの化粧を施すことができる。この化粧は、凹凸加工や塗装などによって実現可能である。
【００１６】
また、出隅役物１は、２つのカバー部２の対向する側端２ａ間を連結する連結部３を有してもいる。
【００１７】
連結部３では、カバー部２側の左右に平板状の平坦部４が設けられるとともに、平坦部４より内側において連結部３の裏面側に一段凹んだ平板状の受け部５が設けられている。また、連結部３では、受け部５の内側においてさらに裏面側に一段凹んだ溝状の固定具納め部６が設けられている。
【００１８】
受け部５は、竪樋を保持する控金具２１の平板状の固定部２２を受け入れ可能としている。すなわち、受け部５の横幅は、控金具２１の固定部２２の横幅と等しいか若干それよりも大きく、また、受け部５の凹み代は、控金具２１の固定部２２の厚さと等しいか若干それよりも深くされている。控金具２１は、丸樋である軒樋に対応した断面円形で帯状の保持部２３を備え、保持部２３は、丸棒状の連結部２４を介して固定部２２に連結されている。
【００１９】
保持部２３は、断面が半円状に２分割された第１の保持部２３ａと第２の保持部２３ｂとから形成され、保持部２３の直径方向の一端に回動軸２５が縦方向に設けられている。回動軸２５によって、連結部２４に連結し、固定されている第２の保持部２３ｂに対して第１の保持部２３ａが、回動軸２５を中心として前後方向に回動自在に支持されている。固定側の第２の保持部２３ｂにおいて、回動軸２５に対向する一端部には、保持部２３の外側に斜めに突出する突起２６が設けられている。一方、第１の保持部２３ａには、回動軸２５に対向する一端部に、保持部２３の外側に突出した嵌合片２７が設けられている。嵌合片２７は、突起２６に外側から嵌合可能となっている。また、嵌合片２７の先端には、人手による第１の保持部２３ａの回動操作を可能にした操作片２８が、保持部２３の外側に向かって突設されている。
【００２０】
竪樋の取付けに際しては、操作片２８を手で持って第１の保持部２３ａを、回動軸２５を中心にして外側に回動させ、嵌合片２７の突起２６への嵌合を解除し、保持部２３を開放させる。開放させた保持部２３に竪樋を挿入した後、第１の保持部２３ａを内側に回動させ、嵌合片２７を突起２６に外側から嵌合させ、保持部２３を閉める。こうして、竪樋は、控金具２１の保持部２３に保持される。
【００２１】
また、出隅役物１の連結部３における固定具納め部６は、その内部に、出隅役物１を建物の壁下地に固定する、タッピンねじ７ａや釘などの第１の固定具７の頭部８を納めることができる。すなわち、溝状の固定具納め部６の横幅は、第１の固定具７の頭部８の直径と等しいか若干それよりも大きく、また、固定具納め部６の深さは、第１の固定具７の頭部８の厚さと等しいか若干それよりも深くされている。
【００２２】
また、出隅役物１では、連結部３の裏面側に、受け部５の外側端から突出するとともに、筒状の形状を有し、出隅役物１と同じ長さ方向に延びる長尺な差込部９が設けられている。差込部９は、左右に対向して配置された平板状の側壁部１０ａ、１０ｂと、２つの平板状の留め付け部１１とを備えている。１つの留め付け部１１は、側壁部１０ａ、１０ｂにおいて最も連結部３から遠い方の一端を連結するように設けられている。もう１つの留め付け部１１は、差込部９の突出代のほぼ半分の位置に配置され、側壁部１０ａ、１０ｂを同じく連結するように設けられている。いずれの留め付け部１１も、受け部５と対向して配置されている。
【００２３】
なお、側壁部１０ａ、１０ｂにおいて最も連結部３から遠い方の一端に設けられた留め付け部１１と、側壁部１０ａ、１０ｂとの境界部には、面取り部１２が設けられ、側壁部１０ａ、１０ｂにおいて最も連結部３から遠い方の一端に設けられた留め付け部１１は、差込部９の突出代のほぼ半分の位置に配置された留め付け部１１より幅狭になっている。このような面取り部１２を設けることによって、差込部９は、連結部３の裏面側へ突出する断面形状が先細のものとなり、外壁材同士の継目に入り込みやすくなっている。
【００２４】
留め付け部１１は、上記のとおりの控金具２１を固定する、タッピンねじ２９ａや釘などの第２の固定具２９の留め付けを可能としている。控金具２１は、第１の固定具７によって建物の外壁における出隅部に固定された出隅役物１に取り付けられる。固定部２２を受け部５内に受け入れ、第２の固定具２９を固定部２２の外側からねじ込みや打入などによって挿入し、受け部５を貫通させる。そして、差込部９に設けた２つの留め付け部１１の内、少なくとも連結部３に近い方に位置する留め付け部１１を突き抜けるまで第２の固定具２９を挿入する。このような挿入によって、第２の固定具２９の留め付けが確実となり、控金具２１は、安定かつ強固に出隅役物１に固定され、脱落は抑制される。したがって、留め付け部１１の個数は、出隅役物１において１つ以上であれば十分である。
【００２５】
なお、第２の固定具２９の挿入を容易とするために、控金具２１の固定部２２には、その表裏を貫通する孔３０を、使用する第２の固定具２９の個数に合わせて、たとえば２つ以上形成しておくことが好ましい。
【００２６】
図２は、本発明の出隅構造の一実施形態として、図１に示した出隅役物による出隅構造を示した要部断面図である。
【００２７】
図２図中において、図１図中に付した符号と同じ符号は同一のものを示している。同符号のものについては、以下においてその説明を省略する。
【００２８】
壁下地４１では、建物の外壁における出隅部Ａにおいて、左右の２つの下地面４１ａ、４１ｂがほぼ９０°で交わっている。壁下地４１には、出隅部Ａの角部Ｂに沿って外壁の高さ方向に延びる縦胴縁４２が、左右の下地面４１ａ、４１ｂのそれぞれの上にねじや釘などの固定具によって取り付けられている。また、縦胴縁４２の表面および角部Ｂ側の側面に沿うとともに、２つの縦胴縁４２に架け渡されるような断面略Ｗ字状の形状を有する捨て水切り４３が、２つの縦胴縁４２にねじや釘などの固定具によって取り付けられている。捨て水切り４３の左右の側端縁部は、表面側に折り返され、水返し４４が形成されている。水返し４４によって、出隅部Ａにおいて壁下地４１側に浸入するおそれのある雨水などが壁下地４１にまで達し、壁下地４１を濡らすことを抑制する。出隅部Ａの左右に取り付けられる２つの外壁材４５は、捨て水切り４３の表面に裏面を重ね合わせ、また、その一端縁部４５ａが、断面略Ｗ字状の形状を有する捨て水切り４３の内側の端面にほぼ一致するように取り付けられ、壁下地４１に対して固定されている。この固定には、ねじや釘などの固定具の他、外壁材４５を取り付けるための取付金具などが使用可能である。
【００２９】
外壁材４５の種類は特に制限されず、セメント板をはじめ、外殻部が、アルミニウムまたはその合金の薄板から形成され、内部に硬質発泡ウレタン樹脂などの充填材が充填された、いわゆる金属製の外壁材などの各種のものが採用可能である。
【００３０】
上記のとおりの出隅役物１は、出隅部Ａの角部Ｂに位置する左右２つの外壁材４５同士の間の継目４６に差込部９を差し込んで位置合わせされて配置される。この状態において、固定具納め部６の外側からタッピンねじ７ａや釘などの第１の固定具７が、ねじ込みや打入などによって固定具納め部６を貫通し、壁下地４１に向かって挿入され、壁下地４１の内部に到達させる。第１の固定具７が壁下地４１の内部に到達することによって、出隅役物１は、出隅部Ａに固定される。また、第１の固定具７は、単に壁下地４１の内部に到達するばかりでなく、その間、２つの留め付け部１１をも突き抜けるため、第１の固定具７は曲がらずに留め付けられ、その留め付けは確実であり、出隅役物１は、安定かつ強固に固定される。出隅役物１の出隅部Ａからの脱落は抑制される。
【００３１】
このようにして出隅部Ａにおいて外壁材４５同士の継目４６に取り付けられ、固定された出隅役物１では、左右のカバー部２が、それぞれ、同一側に配置されている外壁材４５の一端縁部４５ａをその上側から覆い隠す。また、第１の固定具７の頭部８が固定具納め部６内に納められる。
【００３２】
そして、控金具２１が、上記のとおり、出隅部Ａに固定された出隅役物１に固定され、控え金具２１が、出隅部Ａの角部Ｂに取り付けられる。控金具２１の固定部２２が出隅役物１の受け部５内に受け入れられる際に、固定具納め部６内に納められた第１の固定具７の頭部８は、固定部２２によって隠蔽され、露出しない。このため、出隅役物１の出隅部Ａへの取付けは美麗に仕上がる。また、第２の固定具２９の留め付け位置は出隅役物１の受け部５であり、第１の固定具７の留め付け位置は固定具納め部６であるため、第１の固定具７と第２の固定具２９の取付位置は、出隅役物１では相違している。このため、第２の固定具２９が第１の固定具７と干渉することはなく、控金具２１の取付けは、確実にしかも安定に実現される。
【００３３】
また、出隅役物１は、第１の固定具７により出隅部Ａに固定され、控金具２１は、第２の固定具２９により出隅役物１に固定されるので、第１の固定具７および第２の固定具２９は、ともに取外しが容易であり、補修時などには、出隅役物１および控金具２１は取外しが容易である。
【００３４】
丸樋である竪樋６０は、そのように取外し可能な控金具２１に同じく取外し自在に取り付けることができ、取付状態では、保持部２３に安定に保持される。
【００３５】
本発明は、以上の実施形態によって限定されるものではない。出隅役物の形状および大きさは、建物の外壁における出隅部の断面形状に対応させることができ、また、留め付け部を実現する差込部の形状や大きさなどの細部については様々な態様が可能である。同様に、控金具の形状、大きさおよび構造についても様々な態様が可能である。
【符号の説明】
【００３６】
１  出隅役物
２  カバー部
２ａ  側端
３  連結部
４  平坦部
５  受け部
６  固定具納め部
７  第１の固定具
８  頭部
１１  留め付け部
２１  控金具
２２  固定部
２９  第２の固定具
４１  壁下地
４５  外壁材
４５ａ  一端縁部
４６  継目
６０  竪樋
Ａ  出隅部
Ｂ  角部
【図１】
0005491365.tif 000002
【図２】
0005491365.tif 000003